(57)【要約】【課題】強風下で使用しても風騒音がマイクエレメントに入り難く、また雨水がマイクハウジング内に入るおそれのない接話型マイクロホンを提供する。【解決手段】フレキシブルパイプ１の先端にマイクユニット２を取り付けてなる接話型マイクロホンにおいて、前記マイクユニット２は、送話者の口元と対向する面にマイクグリル５を有するマイクハウジング３と、このマイクハウジング３内にゴム製アダプタ７を介して開口を前記マイクグリル５側に向けて組み込まれた遮音用金属製ポット８と、この遮音用金属製ポット８内にクッション材９を介して組み込まれたマイクエレメント４とを備えている。前記マイクグリル５とマイクエレメント４の間は、周縁をマイクハウジング３に水密に接合された撥水性シート１３で仕切られて、防滴型になっている。【選択図】図１
0003143849.tif 000002
【実用新案登録請求の範囲】
【請求項１】
フレキシブルパイプの先端にマイクユニットを取り付けてなる接話型マイクロホンであって、
前記マイクユニットは、送話者の口元と対向する面にマイクグリルを有するマイクハウジングと、このマイクハウジング内にゴム製アダプタを介して開口を前記マイクグリル側に向けて組み込まれた遮音用金属製ポットと、この遮音用金属製ポット内にクッション材を介して組み込まれたマイクエレメントとを備えていることを特徴とする接話型マイクロホン。
【請求項２】
遮音用金属製ポットの背面壁とマイクハウジングの背面壁との間にクッション材を介在させたことを特徴とする請求項１記載の接話型マイクロホン。
【請求項３】
遮音用金属製ポットはアルミ製であることを特徴とする請求項１又は２に記載の接話型マイクロホン。
【請求項４】
マイクグリルとマイクエレメントの間を、周縁をマイクハウジングに水密に接合された撥水性シートで仕切って、防滴型にしたことを特徴とする請求項１ないし３のいずれかに記載の接話型マイクロホン。
【考案の詳細な説明】
【技術分野】
【０００１】
本考案は、ヘルメット等に取り付けて屋外で使用される接話型マイクロホンに関するものである。
【背景技術】
【０００２】
鉄塔工事、橋梁工事、架空送電線工事などの高所作業では、作業者間の連絡のため、ヘルメットにマイクロホン及びスピーカーを備えた無線通信装置が取り付けられている。またバイク用のヘルメットにも運転者間の会話等のために同様の無線通信装置が取り付けられることが多い。高所作業用又はバイク用のヘルメット等に取り付けて使用されるマイクロホン装置は、フレキシブルパイプ（グースネック）の先端にマイクユニットを取り付けた接話型のものが一般的である（特許文献１参照）。
【０００３】
【特許文献１】特開平５−１３２８０９号公報
【考案の開示】
【考案が解決しようとする課題】
【０００４】
ヘルメット等に取り付けて使用される接話型マイクロホンは、強風にさらされることが多い。強風がマイクハウジングに当たると、風騒音が発生し、この風騒音がマイクエレメントに伝わり、送話者の音声に混じるため、受話者側で送話者の音声が聞き取り難くなるという問題がある。
【０００５】
また、ヘルメット等に取り付けて使用される接話型マイクロホンは、雨に当たることもあるため、雨対策も必要である。マイクユニットの雨対策としては、マイクエレメントをプラスチックフィルムで水が入らないように覆った状態で、マイクハウジング内に収容することが公知である（実用新案登録第３１０４０４４号公報）。しかし、このような構造でも、マイクハウジング内に水が浸入することがあり、いったんマイクハウジング内に浸入した水は外部に排出し難いという問題がある。
【０００６】
本考案の第一の目的は、風騒音がマイクエレメントに入り難い接話型マイクロホンを提供することにある。
【０００７】
本考案の第二の目的は、雨水がマイクハウジング内に入るおそれのない接話型マイクロホンを提供することにある。
【課題を解決するための手段】
【０００８】
上記第一の目的を達成するため、本考案は、フレキシブルパイプの先端にマイクユニットを取り付けてなる接話型マイクロホンにおいて、前記マイクユニットは、送話者の口元と対向する面にマイクグリルを有するマイクハウジングと、このマイクハウジング内にゴム製アダプタを介して開口を前記マイクグリル側に向けて組み込まれた遮音用金属製ポットと、この遮音用金属製ポット内にクッション材を介して組み込まれたマイクエレメントとを備えていることを特徴とするものである。
【０００９】
本考案に係る接話型マイクロホンは、前記遮音用金属製ポットの背面壁とマイクハウジングの背面壁との間にクッション材を介在させることが好ましい。
【００１０】
また、本考案に係る接話型マイクロホンは、前記遮音用金属製ポットがアルミ製であることが好ましい。
【００１１】
さらに、本考案に係る接話型マイクロホンは、前記マイクグリルとマイクエレメントの間を、周縁をマイクハウジングに水密に接合された撥水性シートで仕切って、防滴型にすることが好ましい。
【考案の効果】
【００１２】
本考案によれば、マイクハウジング内にゴム製アダプタを介して遮音用金属製ポットが組み込まれ、この遮音用金属製ポット内にクッション材を介してマイクエレメントが組み込まれているため、マイクハウジングに強風が当たって発生する風騒音は、マイクハウジングからゴム製アダプタ、遮音用金属製ポット、クッション材を介してマイクエレメントに伝わる過程で大きく減衰するため、マイクエレメントに入る風騒音を大幅に低減することができる。このため強風下でも、受話者が送話者の音声を明瞭に聞き取ることができる。
【００１３】
また、マイクハウジングに風が当たるのは主にマイクハウジングの背面（マイクグリルと反対側）であるため、遮音用金属製ポットの背面壁とマイクハウジングの背面壁との間にクッション材を介在させておけば、マイクハウジングから金属製ポットに伝わる風騒音をさらに効率よく減衰させることができる。
【００１４】
また、遮音用金属製ポットをアルミ製にすると、マイクユニットの重量増大を抑制でき、軽量化を図ることができる。
【００１５】
また、マイクグリルとマイクエレメントの間を、周縁をマイクハウジングに水密に接合された撥水性シートで仕切ることにより、雨滴がマイクハウジングに浸入するのを防止することができる。また、マイクグリルを通過して撥水性シートに達した雨滴は、マイクグリルの穴を通って簡単に外部に排出されるので、マイクハウジング内に水が溜まるおそれがない。
【考案を実施するための最良の形態】
【００１６】
図１及び図２は本考案に係る接話型マイクロホンの一実施形態を示す。図において、１はフレキシブルパイプ（グースネック）、２はフレキシブルパイプ１の先端に取り付けられたマイクユニットである。
【００１７】
マイクユニット２は、図１に示すように、マイクハウジング３内にマイクエレメント４等を組み込んだものである。マイクハウジング３は、前面（送話者の口元と対向する面）にマイクグリル５を有している。また、マイクハウジング３は、マイクエレメント４等を組み込むために、前面側ハウジング３ａと背面側ハウジング３ｂとに分割できるようになっており、この両者は留めネジ６により一体に組み合わされている。
【００１８】
マイクハウジング３内には、円筒状のゴム製アダプタ７を介して遮音用金属製ポット８が、その開口をマイクグリル５側に向けて、組み込まれている。遮音用金属製ポット８内には、クッション材９を介してマイクエレメント４が組み込まれている。
【００１９】
マイクエレメント４としては、１４０オーム程度の低インピーダンス単一指向型ダイナミックマイクエレメントを使用することが好ましい。その理由は、接話型にすることで、音声入力に対する風騒音入力の比率を低くするためである。
遮音用金属製ポット８は、周壁と背面壁（底壁）が一体に形成されているもので、マイクハウジング３からマイクエレメント４に伝わる風騒音を遮断するためのものである。この遮音用金属製ポット８は、重量軽減のためアルミ製とすることが好ましい。また、この遮音用金属製ポット８は、マイクハウジング３の背面側から伝わる風騒音をより効果的に遮断するため、周壁の厚さより背面壁の厚さを厚くしてある。
【００２０】
遮音用金属製ポット８とマイクエレメント４の間に介在するクッション材９は、マイクエレメント４を保護しつつ、金属製ポット８からマイクエレメント４に伝わる風騒音を吸収すると共に、金属製ポット８内での共振をダンピングする働きをする。クッション材９は、マイクエレメント４の周囲に配置される円筒状のクッション材９ａと、マイクエレメント４の背面に配置される円板状のクッション材９ｂとから構成される。クッション材９としては、ウールクッション（フェルト）を使用することが好ましい。
【００２１】
ゴム製アダプタ７は、遮音用金属製ポット８をマイクハウジング３内の所定位置に保持するためのもので、シリコーンゴムで形成することが好ましい。ゴム製アダプタ７は、ゴム弾性を有しているため、マイクハウジング３から金属製ポット８に伝わる風騒音を低減する働きもある。
【００２２】
この実施形態ではさらに、遮音用金属製ポット８の背面とマイクハウジング３の背面壁３ｃとの間にもクッション材１０を介在させてある。このクッション材１０は、金属製ポット８がマイクハウジング３の中で完全に浮いた状態にし、風騒音の主な発生源であるマイクハウジング３の背面壁３ｃの振動を、遮音用金属製ポット８に伝わり難くするためのものである。クッション材１０としては、ウレタンクッション（ウレタン発泡体）を使用することが好ましい。
【００２３】
マイクエレメント４の端子１１に接続されたリード線１２は、遮音用金属製ポット８に形成された穴を通り、マイクハウジング３内、フレキシブルパイプ１内を通って外部に引き出されている。
【００２４】
以上のように構成された接話型マイクロホンは、マイクハウジング３に強風が当たって発生する風騒音が、マイクハウジング３からゴム製アダプタ７、遮音用金属製ポット８、クッション材９を介してマイクエレメント４に伝わる過程で大きく減衰するため、マイクエレメント４に入る風騒音を大幅に低減することができる。また、遮音用金属製ポット８の背面にクッション材１０を設けたことにより、風騒音の主な発生源であるマイクハウジング３の背面壁３ｃの振動が、遮音用金属製ポット８に、より伝わり難くなる。このため、マイクエレメント４の音声入力に対する風騒音入力の比率が大幅に低くなり、受話者は、強風が吹いているときでも送話者の音声を明瞭に聞き取ることができるようになる。
【００２５】
さらに、この実施形態では、マイクグリル５とマイクエレメント４の間が、周縁をマイクハウジング３に水密に接合された撥水性シート１３により仕切られている。撥水性シート１３としては、雨具などに使用される撥水性布地、例えばゴアテックス（ジャパンゴアテックス株式会社の登録商標）を使用することが好ましい。このようにすると、マイクグリル５の網目を通過した雨滴は撥水性シート１３によりはじかれ、マイクハウジング３内に浸入することがなくなる。また、接話型マイクロホンはマイクグリル５が送話者の口元に対向する状態で使用されるものであるため、撥水性シート１３にはじかれた雨滴は下方に流下し、マイクグリル５の網目を通って外部に排出される。このため、雨滴が撥水性シート１３上に溜まるおそれがない。なお、撥水性シート１３上の雨滴が速やかに排出されるようにするため、マイクグリル５としては、比較的網目の大きい、１２番メッシュ程度のステンレスネットを使用することが好ましい。
【図面の簡単な説明】
【００２６】
【図１】本考案に係る接話型マイクロホンの一実施形態を示す断面図。
【図２】図１の接話型マイクロホンの、（Ａ）は背面図、（Ｂ）は正面（前面）図、（Ｃ）は側面図。
【符号の説明】
【００２７】
１：フレキシブルパイプ
２：マイクユニット
３：マイクハウジング
４：マイクエレメント
５：マイクグリル
６：留めネジ
７：ゴム製アダプタ
８：遮音用金属製ポット
９：クッション材
１０：クッション材
１１：端子
１２：リード線
１３：撥水性シート
【図１】
0003143849.tif 000003
【図２】
0003143849.tif 000004